(57)【特許請求の範囲】
【請求項１】
他の移動無線機のマイクにより収音されて変換された通話信号と前記他の移動無線機の位置検出信号とを合成して送信された電波信号を、前記他の移動無線機から受信する受信部と、
受信した前記電波信号を前記通話信号と前記位置検出信号とに復調する復調部と、
前記復調部で復調された通話信号による通話音声を出力するスピーカと、
前記スピーカによる前記通話音声の出力を制御するミュート手段と、
自機の位置を検出する自機位置情報検出部と、
前記自機位置情報検出部で検出した自機の位置と前記位置検出信号とから算出した２点間の距離が所定距離以内か否かを判定する判定手段と、
前記判定手段により前記２点間の距離が所定距離以内と判定された場合には前記スピーカによる前記通話音声の出力を前記ミュート手段により遮断させないよう制御する制御手段と、を備えたことを特徴とする移動無線機。
【発明の詳細な説明】
【技術分野】
【０００１】
本発明は、移動無線機間の通信を成立させるシグナリングシステムに係り、詳しくは、位置情報を識別情報として自局及び他局の移動無線機との通信を可能とする位置検出によるシグナリングシステムに関する。
【背景技術】
【０００２】
移動無線機間の通信においては、電波を有効に利用するため、近接エリア内の異なるグループにおいても、同じ周波数を利用して通信を行っている。通常の通信では、他のグループで行われている通信の受信を避けるため、シングルトーン、ツートーン、ファイブトーン、デジタルコード、ＤＴＭＦなどの通話信号のＯＮ／ＯＦＦ制御を行うスケルチシグナリング信号（識別信号）を送信側の搬送波に乗せて送信する。受信機側はこれを受信して、予め設定された識別信号と一致するか否かを判定した結果を基に、通話信号のＯＮ／ＯＦＦ制御であるスケルチ操作を行っている。
【０００３】
図４は、従来の移動無線機のシグナリングシステムの構成図である。受信側の移動無線機の受信装置部７０は、アンテナ６ａが受信部７に接続され、受信部７は復調部８に接続され、復調部８は信号処理部１ａとスケルチのミュートスイッチ２とへ接続され、ミュートスイッチ２は、ＤＡＣ３へ接続され、ＤＡＣ３はスピーカ９へ接続されて構成されている。また信号処理部１ａは、ミュートスイッチ２とＤＡＣ３とに接続されている。送信側の移動無線機の送信装置部８０は、信号処理部１ｂが変調部４に接続され、変調部４は送信部５に接続され、送信部５はアンテナ６ｂに接続されて構成されている。
【０００４】
送信側の移動無線機の送信装置部８０において、ＣＰＵやＤＳＰで構成される信号処理部１ｂが予め設定された局の識別信号と通話信号とを変調部４へ出力し、これらの信号は変調部４においてＶＣＯなどで生成される搬送波にミキシングされて変調波となり、送信部５において電力増幅されて、アンテナ６ｂから電波として送信される。
【０００５】
受信側の移動無線機の受信装置部７０では、アンテナ６ａが送信された電波を受信して受信部７に入力する。復調部８は、受信部７で増幅された電波から識別信号と通話信号とを取り出す。信号処理部１ａは予め設定された識別信号と一致するか否かを判定し、一致すると信号Ｓ１によりミュートスイッチ２をＯＮして通話信号をＤＡＣ３へ送信する。通話信号がＤＡＣ３を通りスピーカ９から出力される。一致しないと判定された場合、信号処理部１ａはミュートスイッチ２をＯＦＦのままとする。この時、消費電力を抑えるため信号Ｓ２によりＤＡＣ３の電源をＯＦＦにしてもよい。これにより、他のグループの通話の影響を受けず、共通の識別信号を有するグループの通信が可能となる。
【０００６】
ところがこれによると、緊急時などで他のグループと通信をする場合は、共通の識別信号を再設定する必要がある。例えば、特許文献１のように電界強度と識別信号（トーン）によるスケルチ制御を行う場合は、通信しようとする他グループの信号の電界強度がいくら強くても識別信号（トーン）が一致しなければ通信できない。
【特許文献１】特許第３３１５５７９号公報
【発明の開示】
【発明が解決しようとする課題】
【０００７】
本発明は、このような問題を解決するためになされたものであり、その目的は、電界強度の変動による影響を避け、識別信号の再設定の必要がなく自局及び他局のグループの移動無線機と通信を可能とする、簡易で簡便な移動無線機のシグナリングシステムの提供にある。
【課題を解決するための手段】
【０００８】
本発明の移動無線機は、他の移動無線機のマイクにより収音されて変換された通話信号と他の移動無線機の位置検出信号とを合成して送信された電波信号を、他の移動無線機から受信する受信部と、受信した電波信号を通話信号と位置検出信号とに復調する復調部と、復調部で復調された通話信号による通話音声を出力するスピーカと、スピーカによる通話音声の出力を制御するミュート手段と、自機の位置を検出する自機位置情報検出部と、自機位置情報検出部で検出した自機の位置と位置検出信号とから算出した２点間の距離が所定距離以内か否かを判定する判定手段と、判定手段により２点間の距離が所定距離以内と判定された場合にはスピーカによる通話音声の出力をミュート手段により遮断させないよう制御する制御手段と、を備えたことを特徴とする。
【発明の効果】
【００１４】
本発明によれば、距離によるスケルチ制御を行うことにより、緊急時などで他のグループと通信をする場合においても、共通の識別信号に再設定する必要が無いため、特別な操作なしに通信が可能となる。また予め設定された所定の距離内に限定された移動無線機との通話が可能となるため、送信電力を制御する必要が無くなり、送信制御回路が簡易となる。さらに通話信号の出力を停止する場合は、ＤＡＣの電源をＯＦＦすることで消費電流を抑えることが可能となる。
【発明を実施するための最良の形態】
【００１５】
本発明によるの実施の形態について、図を用いて説明する。図１は、本発明の移動無線機のシグナリングシステムにおける移動無線機の構成を示す回路ブロック図である。図１において、移動無線機１００は、信号処理部１とミュートスイッチ２とＤＡＣ３と変調部４と送信部５とアンテナ６と受信部７と復調部８とスピーカ９とＡＤＣ１０とマイク１１と位置情報検出部１２と送受信切替スイッチ１３とを有する。
【００１６】
送受信切替スイッチ１３の切替えにより、マイク１１とＡＤＣ１０と位置情報検出部１２と信号処理部１と変調部４と送信部５とアンテナ６とが移動無線機１００の送信装置部を構成する。また、アンテナ６と受信部７と復調部８と位置情報検出部１２と信号処理部１とミュートスイッチ２とＤＡＣ３とスピーカ９とが移動無線機１００の受信装置部を構成する。従って、アンテナ６、信号処理部１及び位置情報検出部１２は送信装置部及び受信装置部に共通して使用される。また、ＤＡＣ３は、所謂Ｄ／Ａ変換器としてではなく、電子ボリュームとして動作する。さらに、ミュートは音声を遮断することを意味するが、ミュートスイッチ２の動作は、ＯＮすることで導通し、通話信号が出力される。
【００１７】
図２は、本発明の移動無線機のシグナリングシステムにおいて、任意の移動無線機１００の送信装置部６０が送信側として動作し、他の移動無線機１００の受信装置部５０が受信側として動作する場合を示すシステム構成図である。ただし、図１に記載のＡＤＣ１０、マイク１１及び送受信切替スイッチ１３は省略されている。
【００１８】
図２の送信側の移動無線機の送信装置部６０において、図１に記載の省略されているマイク１１及びＡＤＣ１０により変換された通話信号と、ＧＰＳやＲＦＩＤなどの位置情報検出装置からなる位置情報検出部１２ｂで検出された位置検出信号とが、ＣＰＵ又はＤＳＰなどの信号処理部１ｂで処理され合成信号となる。この合成信号は、変調部４において、ＶＣＯなどで生成される搬送波にミキシングされて変調波となる。この変調波は、送信部５で電力増幅されてアンテナ６ｂから電波信号として送信される。
【００１９】
受信側の移動無線機の受信装置部５０において、アンテナ６ａにより受信され受信部７により増幅された電波信号は、復調部８で通話信号と位置検出信号とに復調される。信号処理部１ａは、復調された位置検出信号と自局の位置を検出した位置検出信号とから２局間の距離を算出し、算出された距離が予め設定された所定の距離以内であれば、信号Ｓ１によりミュートスイッチ２をＯＮする。
【００２０】
ミュートスイッチ２がＯＮされると、通話信号がＤＡＣ３を通り、スピーカ９から出力される。所定の距離以内でない場合は、出力動作は行われず、消費電力を抑えるため信号Ｓ２によりＤＡＣ３の電源をＯＦＦにしてもよい。これにより、自グループ及び他グループを問わず、予め設定された所定の距離以内にいる複数の移動無線機との通信が可能となる。さらにスケルチスイッチ２をＯＮ／ＯＦＦさせる距離の設定値が一つであると、その境界でＯＮ／ＯＦＦ動作が不安定となるため、ＯＮ／ＯＦＦの距離の設定値は、それぞれ異なることが望ましい。
【００２１】
図３は、Ａグループ及びＢグループの移動無線機が互いに通信できるエリアが、正に形成されようとしている状態を示す通信エリアマップである。緊急時において、他のグループと連絡を取りながら緊急事態に対処する場合、互いの設定距離ｒをさらに大きく設定するか互いに接近することで、グループＡ、Ｂ間の通信が可能となる。ところが通常のグループ内通信においては、Ａグループの移動通信機がＢグループのエリア付近で通信すると、Ｂグループ間の通信の影響を受けるため、安定した通信ができなくなる。この場合は、例えばＡグループの移動無線機Ａ１及びＡ２の位置を、それぞれ左方向にｒだけオフセットを掛けて、Ａ１′及びＡ２′にシフトするように設定して位置検出信号を送信することにより、Ｂグループ間の通信の影響を避けることが可能となる。
【００２２】
以上説明したように、本発明によると、距離によるスケルチ制御を行うことにより、緊急時などで他のグループと通信をする場合においても、共通の識別信号に再設定する必要が無いため、特別な操作なしに通信が可能となる。また予め設定された所定の距離内、又は所定の距離外に限定された移動無線機との通話が可能となるため、送信電力を制御する必要が無くなり、送信制御回路が簡易となる。また距離の設定には、必要に応じてオフセットを掛けることもできる。さらに通話信号の出力を停止する場合は、ＤＡＣの電源をＯＦＦすることで消費電流を抑えることが可能となる。
【図面の簡単な説明】
【００２３】
【図１】本発明のシグナリングシステムの移動無線機の構成を示す回路ブロック図。
【図２】本発明の移動無線機のシグナリングシステムの構成図。
【図３】本発明による通信エリアマップ。
【図４】従来の移動無線機のシグナリングシステムの構成図
【符号の説明】
【００２４】
１、１ａ、１ｂ  信号処理部
２  ミュートスイッチ
３  ＤＡＣ
４  変調部
５  送信部
６  、６ａ、６ｂ  アンテナ
７  受信部
８  復調部
９  スピーカ
１０  ＡＤＣ
１１  マイク
１２、１２ａ、１２ｂ  位置情報検出部
１３  送受信切替スイッチ
５０  受信側の移動無線機の受信装置部
６０  送信側の移動無線機の送信装置部
７０  従来の受信側の移動無線機の受信装置部
８０  従来の送信側の移動無線機の送信装置部
１００  移動無線機
Ｓ１  ミュートスイッチ信号
Ｓ２  ＤＡＣ（電子ボリューム）の制御信号
Ａ１′  移動端末Ａ１のオフセットポイント
Ａ２′  移動端末Ａ２のオフセットポイント
【図１】
0004736891.tif 000002
【図２】
0004736891.tif 000003
【図３】
0004736891.tif 000004
【図４】
0004736891.tif 000005